(57)【要約】【課題】スイッチ手段がマグネットに反応することで安全スイッチや加湿制御に利用できる超音波式加湿器を提供する。【解決手段】給水部と、給水部内の水を受け取って超音波振動子によって霧化する超音波霧化部と、超音波霧化部で発生した霧を外部に誘導する霧誘導部と、給水部と超音波霧化部と霧誘導部とを内部に装備する加湿器筺体とを備えた超音波式加湿器であって、霧誘導部にはマグネットが設けられ、加湿器筺体に、マグネットに反応するスイッチ手段を備えている。【選択図】図１
2018048810.tif 000002
【特許請求の範囲】
【請求項１】
給水部と、
前記給水部内の水を受け取って超音波振動子によって霧化する超音波霧化部と、
前記超音波霧化部で発生した霧を外部に誘導する霧誘導部と、
前記給水部と超音波霧化部と霧誘導部とを内部に装備する加湿器筺体とを備えた超音波式加湿器であって、
前記霧誘導部にはマグネットが設けられ、
前記加湿器筺体に、前記マグネットに反応するスイッチ手段を備えたことを特徴とする超音波式加湿器。
【請求項２】
前記超音波霧化部は、複数の超音波振動子を備え、
前記霧誘導部は、前記複数の超音波振動子に対応する複数の霧誘導筒を備えている請求項１に記載の超音波式加湿器。
【請求項３】
前記霧誘導部は、前記複数の霧誘導筒の上部に複数の霧噴出ノズルを有し、
前記複数の霧噴出ノズルが連結部にて連結され、該連結部に前記マグネットが設けられている請求項２に記載の超音波式加湿器。
【請求項４】
前記加湿器筺体の内部には、室内の空気を循環させるサーキュレータが、前記霧噴出ノズルに空気吹出し口を接近させて装備され、
前記複数の霧噴出ノズルの複数の噴出口は、前記サーキュレータの前記空気吹出し口に指向するように位置決めされている請求項３に記載の超音波式加湿器。
【請求項５】
前記霧誘導部は、前記複数の霧誘導筒と筒保持部が一体的に構成され、
前記筒保持部は、前記超音波霧化部に設けた霧化水槽に対応する円筒形状に形成され、前記霧化水槽の周囲からの霧の漏れを抑制する平面部を有している請求項１〜４の何れか１項に記載の超音波式加湿器。
【請求項６】
前記給水部は、上面視で略Ｈ状の給水タンクを有している請求項１〜５の何れか１項に記載の超音波式加湿器。
【発明の詳細な説明】
【技術分野】
【０００１】
本発明は、給水タンクから給水される水を超音波振動によって霧化し室内に放出して室内を加湿する超音波式加湿器に関するものである。
【背景技術】
【０００２】
超音波式加湿器は、超音波振動子に高周波電圧を印加して発生する高周波振動エネルギーを水面に伝達して微細な霧を発生するので、他の方式に比べて動作音が静かで快適であり、近年普及している(例えば、特許文献１、特許文献２参照)。
【０００３】
特許文献１による超音波式加湿器は、２つの超音波振動子７に対応させた２つの吹出口１５を備え、筺体内におけるこれら部品の外側に電気部品を配設させて、吸込んだ湿度の高い空気が電気部品に触れて結露することがないようにする排水路を備えるものである。しかし、この加湿器では、上方にのみ霧を吹出すため、霧を室内全体に噴霧させることが難しく、特定箇所に霧が集中し、大きな水滴となり床面を濡らす欠点があった。
【０００４】
また、特許文献２による超音波加湿器は、ダクト上部の出口近傍に、微小水滴を室内に拡散するように吹き飛ばすための送風ファンを設けるものである。しかし、この加湿器では、床面を濡らすことは少ないが、微小水滴を吹き飛ばす方向が限定されてしまう。また超音波トランスデューサ（振動子）が１つのため、加湿性能が低いという欠点があった。
【先行技術文献】
【特許文献】
【０００５】
【特許文献１】実開平２−１２４４２０号
【特許文献２】特表２０１１−５１３６９７号
【発明の概要】
【発明が解決しようとする課題】
【０００６】
本発明が解決しようとする課題は、加湿量を増大させると共に、霧を室内に有効に拡散することができる超音波式加湿器を提供することにある。
【課題を解決するための手段】
【０００７】
本発明は、給水部と、前記給水部内の水を受け取って超音波振動子によって霧化する超音波霧化部と、前記超音波霧化部で発生した霧を外部に誘導する霧誘導部と、前記給水部と超音波霧化部と霧誘導部とを内部に装備する加湿器筺体とを備えた超音波式加湿器であって、前記霧誘導部にはマグネットが設けられ、前記加湿器筺体に、前記マグネットに反応するスイッチ手段を備えたものである。
【０００８】
また、前記超音波霧化部は、複数の超音波振動子を備え、前記霧誘導部は、前記複数の超音波振動子に対応する複数の霧誘導筒を備えているものである。
【０００９】
また、前記霧誘導部は、前記複数の霧誘導筒の上部に複数の霧噴出ノズルを有し、前記複数の霧噴出ノズルが連結部にて連結され、該連結部に前記マグネットが設けられているものである。
【００１０】
また、前記加湿器筺体の内部には、室内の空気を循環させるサーキュレータが、前記霧噴出ノズルに空気吹出し口を接近させて装備され、前記複数の霧噴出ノズルの複数の噴出口は、前記サーキュレータの前記空気吹出し口に指向するように位置決めされているものである。
【００１１】
また、前記霧誘導部は、前記複数の霧誘導筒と筒保持部が一体的に構成され、前記筒保持部は、前記超音波霧化部に設けた霧化水槽に対応する円筒形状に形成され、前記霧化水槽の周囲からの霧の漏れを抑制する平面部を有しているものである。
【００１２】
また、前記給水部は、上面視で略Ｈ状の給水タンクを有しているものである。
【発明の効果】
【００１３】
本実施形態の超音波式加湿器によれば、複数の超音波振動子に対応させて複数の霧誘導筒を設けることにより、個々の超音波振動子により発生させた水の霧を、対応させた霧誘導筒にて最大限に利用できるため、水の霧化量を促進、即ち加湿量を増大することができる。
【００１４】
さらに、蓋より斜め上方向に放出するように設けられた霧噴出ノズルに接近してサーキュレータの空気吹出し口が設けられており、霧が室内の全方向に拡散されるので、室内全体を有効に加湿することができ、床濡れも防止できる。
【図面の簡単な説明】
【００１５】
【図１】本発明に係る加湿器の全体の斜視図である。
【図２】図１の加湿器の蓋を取り外した状態の斜視図である。
【図３】図２の状態から前カバーとサーキュレータ用蓋とを取り外した状態の斜視図である。
【図４】図２の状態から霧誘導筒と給水タンクとを取り外した状態の上面図である。
【図５】図２の状態から霧誘導筒と給水タンクとを取り外した状態を背面側から見た斜視図である。
【図６】図５の左側方向からの斜視図である。
【図７】本発明に係る加湿器の霧誘導筒の斜視図である。
【図８】図７の霧誘導筒に霧噴出ノズルを取り付けた斜視図である。
【図９】本発明に係る加湿器の清掃ブラシの斜視図である。
【発明を実施するための形態】
【００１６】
以下、発明の実施形態について、図面を参照して詳細に説明する。
【００１７】
図１〜６に示すように、本発明の一実施形態に係る超音波式加湿器１は、大きくは加湿器筺体２０と、給水部３０と、サーキュレータ４０と、超音波霧化部５０と、生成した霧を室内外部に誘導して放出する霧誘導部６０とからなり、これら給水部３０、サーキュレータ４０、超音波霧化部５０、霧誘導部６０は、加湿器筺体２０内に装備されている。
【００１８】
加湿器筺体２０は、例えば、ＡＢＳなどの樹脂製の容器２２から成っており、上面視で楕円形状を有し、上部の開口部分を着脱自在に覆う蓋２４を備えている。この蓋２４は、給水タンク３２の上面を隠ぺいし、またサーキュレータ４０の空気吹出し口４６を露出させるための半円形の切欠き２４Ｈを有している。
【００１９】
また、加湿器筺体２０は、各種の運転切換やタイマーなどのボタン、吸水操作などを促す表示部などを有する操作パネル２５を備えている。
【００２０】
給水部３０は、加湿器筺体２０の一半部に着脱自在に装填される上面視で略Ｈ状の給水タンク３２と、加湿器筺体２０内にこの給水タンク３２が装填された際にその直下に位置するイオン交換樹脂が充填されたフィルターカートリッジ３４とで構成されている。なお、給水タンク３２には片手で出し入れできるように給水タンク取手部３２Ａを設けられている。
【００２１】
また給水タンク３２は、霧化水槽５２及び霧誘導筒６２の位置を避けてそれら霧化水槽５２と霧誘導筒６２を取り囲む構造であるため、給水量を多く蓄えることができる。更に、給水タンク３２の中の水の量を目視確認できるように、容器２２に水位窓２３を設けている。
【００２２】
サーキュレータ４０は、室内の空気を循環させて霧を室内に拡散させるものである。このサーキュレータ４０は、主として加湿器筺体２０の他半部内に配置されたプロペラファン４２から成っており、このプロペラファン４２は、円筒状ファンフレーム４４内に配置され、ファンフレーム４４は、超音波霧化部５０の霧噴出ノズル６４に接近して空気が上方向に吹き出す放射状開口の空気吹出し口４６を有するサーキュレータ用蓋４８によって覆われている（図２および図３参照）。また加湿器筺体２０の蓋２４の半円形切欠き２４Ｈは、このサーキュレータ用蓋４８の一半部の縁に相応させることで、サーキュレータ用蓋４８を完全に露出させている。
【００２３】
超音波霧化部５０は、図４に示すように加湿器筺体２０の底部に設けられた図示しない給水通路を経て霧化すべき水を所定の水位で受け取る霧化水槽５２と、この霧化水槽５２の底板に取り付けられる複数の超音波振動子５４とから構成される。なお、図示例では２つの超音波振動子５４Ａ、５４Ｂからなり、各超音波振動子５４は、相互に振動が干渉しない程度の間隔をあけて配置されていることが好ましい。
【００２４】
霧誘導部６０は、霧化水槽５２の中央から立ち上がる２本の霧誘導筒６２と、この霧誘導筒６２の上端頭部に斜め上方向に霧を放出する霧噴出ノズル６４と、霧化水槽５２で発生した霧を霧誘導筒６２内で上昇搬送させる空気流を発生させる霧誘導ファン６６とから構成される。
【００２５】
霧誘導ファン６６は、サーキュレータ４０のプロペラファン４２の下方に配置されており、この霧誘導ファン６６からの空気流は、仕切板７０の図示しない切欠き部を経て霧化水槽５２及び霧誘導筒６２に流入される。
【００２６】
ここで霧誘導筒６２について説明すると、図７に示すように２本の霧誘導筒６２は、楕円状の円筒の筒保持部６３と一体的に構成されている。こうすることで、霧誘導筒６２の霧化水槽５２への装着が１回の操作で行える。また筒保持部６３は霧化水槽５２の周囲からの霧の漏れを極力なくすために楕円状の平面部６３Ｆを、さらに霧誘導ファン６６からの空気流が入り込む切欠き６３Ｈを有している。
【００２７】
霧噴出ノズル６４は、その先端が斜め上方向を向く噴出口６４Ｏを有し、霧誘導筒６２の上部に嵌合される。図８に示すように、２つの霧噴出ノズル６４は連結部６５にて連結されているため、複数の霧噴出ノズル６４の複数の霧誘導管６２への装着操作が簡便になるとともに、紛失することも少なくなる。
【００２８】
超音波式加湿器１の蓋２４には盛り上がり部分２４Ｒに設けられて、サーキュレータ４０の空気吹出し孔４６に向けて指向する開口２４ＲＨ（図１参照）を有している。連結された霧噴出ノズル６４の複数の噴出口６４Ｏは、開口２４ＲＨに一致するように位置決めされるため、霧化水槽５２内に発生した霧は、効率よく霧誘導筒６２を上昇して霧噴出ノズル６４の噴出口６４Ｏから噴出されて室内に放出される。
【００２９】
連結部６５には係止部６７、その先端部にはマグネット６９を設けられ、仕切板７０に設けた収納部７４の壁面と接触するようになっている。また、収納部７４の内部には、図示しないスイッチ手段、リードスイッチやホール素子等が設けられており、連結部６５に設けたマグネット６９に反応することで、安全スイッチや加湿制御に利用している。なお、収納室７４は、超音波霧化部５０、霧誘導部６０からは隔離された構造になっている。
【００３０】
上記実施の形態による超音波式加湿器１は、上述したように複数の超音波振動子５４の振動によって霧を多量に発生させ、この霧は、複数の霧誘導筒６２内を上昇し、複数の霧噴出ノズル６４により室内に噴出し、サーキュレータ４０の空気吹出し口４６から空気を上方向に吹き出すことにより、霧を室内の全方向に拡散させて、室内を有効に加湿することができる。
【００３１】
本発明では、多くの霧を発生させるために、超音波振動子５４を効率よく振動させることが必要となるが、水中のゴミや微生物などにより超音波振動子５４が汚れやすくなる。そこで、図５もしくは図６に示すように清掃ブラシ８０（図９参照）を清掃ブラシ取付け穴７０Ｈに備えておき、定期的にこの清掃ブラシ８０を用いて超音波振動子５４表面を清掃することにより、長期間にわたり霧化作用を維持することができる。
【００３２】
なお、本発明は、上述した実施形態に限定されるものではなく、本発明の要旨を変えない範囲において、種々の変更、改変等が可能である。例えば、複数の超音波振動子５４の数を３つ以上にしてもよいし、また本発明の加湿器を空気清浄機、エアコンなどに応用することもできる。
【符号の説明】
【００３３】
１  超音波式加湿器
２０  加湿器筺体
２１  取手部
２２  樹脂製の容器
２３  水位窓
２４  蓋
２４Ｈ  半円形切欠き
２４Ｒ  盛り上がり部分
２４ＲＨ  開口
２５  操作パネル
３０  給水部
３２  給水タンク
３２Ａ  給水タンク取手
３４  フィルターカートリッジ
４０  サーキュレータ
４２  プロペラファン
４４  ファンフレーム
４６  空気吹出し口
４８  サーキュレータ用蓋
５０  超音波霧化部
５２  霧化水槽
５４、５４Ａ、５４Ｂ  超音波振動子
６０  霧誘導部
６２  霧誘導筒
６３  筒保持部
６３Ｆ  筒保持部平面部
６３Ｈ  筒保持部の切欠き
６４  霧噴出ノズル
６４Ｏ  噴出口
６５  連結部
６６  霧誘導ファン
６７  係止部
６９  マグネット
７０  仕切板
７０Ｈ  清掃ブラシ取付け穴
７４  収納部
８０  清掃ブラシ
【図１】
2018048810.tif 000003
【図２】
2018048810.tif 000004
【図３】
2018048810.tif 000005
【図４】
2018048810.tif 000006
【図５】
2018048810.tif 000007
【図６】
2018048810.tif 000008
【図７】
2018048810.tif 000009
【図８】
2018048810.tif 000010
【図９】
2018048810.tif 000011